(57)【特許請求の範囲】
【請求項１】
第１のネットワークを介して接続される装置と、第２のネットワークを介して接続される装置との間で送受信される情報を中継する中継部と、
前記第１のネットワークを介して接続された検索端末から受信する情報が、前記第２のネットワークを介して接続された情報検索装置に対する情報検索要求を表す場合に、該情報から検索語句を抽出する検索語句抽出部と、
前記検索語句を蓄積する検索語句蓄積部と、
前記検索語句蓄積部に蓄積された検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信するコンテンツ検索部と、
前記コンテンツ検索部によって受信されたメタ情報を蓄積するメタ情報蓄積部と、
前記第１のネットワークまたは前記第２のネットワークを介して接続された再生端末からのコンテンツリスト要求に応じて、前記メタ情報蓄積部に蓄積されたメタ情報が示すコンテンツの一覧を表すコンテンツリストを生成し、生成したコンテンツリストを前記再生端末に提示するコンテンツリスト提示部と、
前記コンテンツリスト提示部によって提示されたコンテンツリストのうち、前記再生端末から受信されるコンテンツ選択情報が示すコンテンツに関して前記メタ情報蓄積部に蓄積されたメタ情報に基づいて、該コンテンツを取得するためのコンテンツ取得要求を前記コンテンツ提供元装置に送信することにより、前記コンテンツを取得して前記再生端末に送信するコンテンツ取得部と、
を備えたゲートウェイ装置。
【請求項２】
ユーザを識別するユーザ識別情報と、該ユーザによって利用される前記検索端末を識別する情報と、該ユーザによって利用される前記再生端末を識別する情報とを対応付けて格納するユーザ情報格納部をさらに備え、
前記検索語句抽出部は、前記ユーザ情報格納部に格納された検索端末から前記情報検索要求を表す情報を受信した場合に、前記検索語句の抽出処理を行い、
前記検索語句蓄積部は、前記情報検索要求を表す情報の送信元の検索端末を識別する情報に対応付けられたユーザ識別情報を前記ユーザ情報格納部から取得し、取得したユーザ識別情報に対応付けて前記検索語句を蓄積し、
前記コンテンツ検索部は、前記ユーザ識別情報毎に、前記コンテンツ提供元装置に前記検索語句を送信することにより前記メタ情報を受信し、
前記メタ情報蓄積部は、前記ユーザ識別情報に対応付けて前記メタ情報を蓄積し、
前記コンテンツリスト提示部は、前記再生端末から前記コンテンツリストの提示要求を受信すると、該再生端末を識別する情報に対応付けられたユーザ識別情報を前記ユーザ情報格納部から取得し、取得したユーザ識別情報に対応付けて前記メタ情報蓄積部に蓄積されたメタ情報に基づいて、前記コンテンツリストを生成することを特徴とする請求項１に記載のゲートウェイ装置。
【請求項３】
前記ユーザ情報格納部は、各ユーザ識別情報に、該ユーザ識別情報に対応付けられたメタ情報に基づき生成されるコンテンツリストの公開を許可する公開許可ユーザのユーザ識別情報をさらに対応付けて格納し、
前記コンテンツリスト提示部は、前記コンテンツリストの要求元の再生端末を識別する情報に対応付けられたユーザ識別情報に加えて、該ユーザ識別情報が前記公開許可ユーザとして対応付けられた他のユーザ識別情報のメタ情報に基づいて、前記コンテンツリストを生成することを特徴とする請求項２に記載のゲートウェイ装置。
【請求項４】
前記ユーザ情報格納部は、前記ユーザ識別情報に、前記情報検索装置を識別する情報をさらに対応付けて格納し、
前記検索語句抽出部は、前記情報検索要求を表す情報が、前記ユーザ情報格納部において同一のユーザ識別情報にそれぞれ対応付けられた前記検索端末から前記情報検索装置への情報検索要求を表す場合に、前記検索語句の抽出処理を行うことを特徴とする請求項２または請求項３に記載のゲートウェイ装置。
【請求項５】
コンテンツを格納するローカルコンテンツ格納部をさらに備え、
前記コンテンツリスト提示部は、前記ローカルコンテンツ格納部に格納されたコンテンツの一覧を表すコンテンツリストに、前記メタ情報に基づくコンテンツリストを含めて前記再生端末に提示し、
前記コンテンツ取得部は、前記再生端末によって取得されたコンテンツ選択情報が前記ローカルコンテンツ格納部に格納されたコンテンツを示す場合には、該コンテンツを前記ローカルコンテンツ格納部から取得して前記再生端末に送信することを特徴とする請求項１から請求項４のいずれか１項に記載のゲートウェイ装置。
【請求項６】
請求項１から請求項５のいずれか１項に記載のゲートウェイ装置と、
前記検索端末と、
前記再生端末と、
を備えたコンテンツ取得システム。
【請求項７】
第１のネットワークを介して接続される装置と、第２のネットワークを介して接続される装置との間で送受信される情報を中継する際に、
前記第１のネットワークを介して接続された検索端末から受信する情報が、前記第２のネットワークを介して接続された情報検索装置に対する情報検索要求を表す場合に、該情報から検索語句を抽出し、
前記検索語句を蓄積し、
蓄積した検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信し、
受信したメタ情報を蓄積し、
前記第１のネットワークまたは前記第２のネットワークを介して接続された再生端末からのコンテンツリスト要求に応じて、前記メタ情報が示すコンテンツの一覧を表すコンテンツリストを生成し、生成したコンテンツリストを前記再生端末に提示し、
提示したコンテンツリストのうち、前記再生端末から受信されるコンテンツ選択情報が示すコンテンツに関して蓄積されたメタ情報に基づいて、該コンテンツを取得するためのコンテンツ取得要求を前記コンテンツ提供元装置に送信することにより、前記コンテンツを取得して前記再生端末に送信する、コンテンツ取得方法。
【請求項８】
ユーザを識別するユーザ識別情報と、該ユーザによって利用される前記検索端末を識別する情報と、該ユーザによって利用される前記再生端末を識別する情報とを対応付けて記憶しておき、
前記ユーザ識別情報に対応付けられた検索端末から前記情報検索要求を表す情報を受信した場合に、前記検索語句の抽出処理を行い、
前記情報検索要求を表す情報の送信元の検索端末を識別する情報に対応付けられたユーザ識別情報に、抽出した前記検索語句を対応付けて蓄積し、
前記ユーザ識別情報毎に、前記コンテンツ提供元装置に前記検索語句を送信することにより前記メタ情報を受信し、
前記ユーザ識別情報に対応付けて前記メタ情報を蓄積し、
前記再生端末から前記コンテンツリストの提示要求を受信すると、該再生端末を識別する情報に対応付けられたユーザ識別情報に対応付けて前記メタ情報蓄積部に蓄積されたメタ情報に基づいて、前記コンテンツリストを生成することを特徴とする請求項７に記載のコンテンツ取得方法。
【請求項９】
第１のネットワークを介して接続される装置と、第２のネットワークを介して接続される装置との間で送受信される情報を中継する際に、前記第１のネットワークを介して接続された検索端末から受信する情報が、前記第２のネットワークを介して接続された情報検索装置に対する情報検索要求を表す場合に、該情報から検索語句を抽出する検索語句抽出ステップと、
前記検索語句を蓄積する検索語句蓄積ステップと、
蓄積した検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信するコンテンツ検索ステップと、
受信したメタ情報を蓄積するメタ情報蓄積ステップと、
前記第１のネットワークまたは前記第２のネットワークを介して接続された再生端末からのコンテンツリスト要求に応じて、前記メタ情報が示すコンテンツの一覧を表すコンテンツリストを生成し、生成したコンテンツリストを前記再生端末に提示するコンテンツリスト提示ステップと、
提示したコンテンツリストのうち、前記再生端末から受信されるコンテンツ選択情報が示すコンテンツに関して蓄積されたメタ情報に基づいて、該コンテンツを取得するためのコンテンツ取得要求を前記コンテンツ提供元装置に送信することにより、前記コンテンツを取得して前記再生端末に送信するコンテンツ取得ステップと、
をコンピュータ装置に実行させるコンピュータ・プログラム。
【請求項１０】
前記検索語句抽出ステップにおいて、ユーザを識別するユーザ識別情報と、該ユーザによって利用される前記検索端末を識別する情報と、該ユーザによって利用される前記再生端末を識別する情報とが対応付けられたユーザ情報を参照することにより、前記ユーザ識別情報に対応付けられた検索端末から前記情報検索要求を表す情報を受信した場合に、前記検索語句の抽出処理を行い、
前記検索語句蓄積ステップにおいて、前記情報検索要求を表す情報の送信元の検索端末を識別する情報に対応付けられたユーザ識別情報に、抽出した前記検索語句を対応付けて蓄積し、
前記コンテンツ検索ステップにおいて、前記ユーザ識別情報毎に、前記コンテンツ提供元装置に前記検索語句を送信することにより前記メタ情報を受信し、
前記メタ情報蓄積ステップにおいて、前記ユーザ識別情報に対応付けて前記メタ情報を蓄積し、
前記コンテンツリスト提示ステップにおいて、前記再生端末から前記コンテンツリストの提示要求を受信すると、該再生端末を識別する情報に対応付けられたユーザ識別情報に対応付けて前記メタ情報蓄積部に蓄積されたメタ情報に基づいて、前記コンテンツリストを生成することを特徴とする請求項９に記載のコンピュータ・プログラム。
【発明の詳細な説明】
【技術分野】
【０００１】
本発明は、ネットワークを介して提供されるコンテンツを取得するコンテンツ取得システム、コンテンツ取得方法、ゲートウェイ装置、および、コンピュータ・プログラムに関する。
【背景技術】
【０００２】
ネットワークを介してコンテンツを提供するサービスが普及している。ここで、コンテンツとは、ユーザにより視聴される対象となるデジタルデータをいい、例えば、音楽、映像、画像、ビデオゲーム、小説、ニュース等を表すコンテンツがある。このようなサービスを提供する装置は、コンテンツの検索機能やダウンロード機能等を有している。これらの機能は、例えば、ウェブサイト（以下、コンテンツ提供サイトとも記載する）によって実現されている。ユーザは、例えば、ウェブブラウザを用いてコンテンツ提供サイトにアクセスし、コンテンツの検索やダウンロードを行う。このようなコンテンツ提供サイトは、サービスの提供元毎に異なる。そのため、ユーザは、コンテンツ提供サイト毎にコンテンツの検索操作やダウンロード操作を行う必要がある。また、ユーザの利用する端末が、キーボードを有していないテレビや携帯電話等である場合、コンテンツの提供サイト毎にコンテンツの検索語句を入力するユーザの作業負担はさらに大きい。このように、所望のコンテンツを取得するためのユーザの作業負担は大きいものとなっていた。
【０００３】
このような問題を解決する技術として、ユーザの嗜好に適合したコンテンツを推薦する情報を、ユーザの端末に提供するものがある（例えば、特許文献１参照）。この特許文献１に記載された装置は、コンテンツの検索依頼のためにユーザによって入力された検索語句を、ユーザを特定するユーザ情報と共に受信し、検索語句とユーザ情報とを対応付けて蓄積している。また、この装置は、１つ以上のコンテンツ提供元装置から提供される各コンテンツを推薦する情報を格納している。そして、この装置は、各コンテンツを推薦する情報に関連する検索語句に対応付けられたユーザ情報を抽出し、抽出されたユーザ情報で特定されるユーザの端末へ、そのコンテンツを推薦する情報を通知する。これにより、ユーザは、少ない作業負担で、自身の嗜好に適合したコンテンツを取得することができる。
【先行技術文献】
【特許文献】
【０００４】
【特許文献１】特開２００５−８５０１０号公報
【発明の概要】
【発明が解決しようとする課題】
【０００５】
しかしながら、特許文献１に記載されたものでは、ユーザの嗜好を表す検索語句が、ユーザ情報と共に、コンテンツを推薦する装置に蓄積されてしまう。ユーザによっては、このようなユーザの嗜好を表す情報を、コンテンツを推薦する装置の運用者に知られたくない場合がある。このように、特許文献１に記載されたものは、ユーザの嗜好に適合したコンテンツを少ない作業負担でユーザに取得させることができるものの、そのために、ユーザのプライバシーを考慮していないという課題があった。
【０００６】
本発明は、上述の課題を解決するためになされたもので、ユーザのプライバシーを保ちながら、ユーザの作業負担を増大させることなくユーザの嗜好に適合したコンテンツを取得可能な技術を提供することを目的とする。
【課題を解決するための手段】
【０００７】
本発明のゲートウェイ装置は、第１のネットワークを介して接続される装置と、第２のネットワークを介して接続される装置との間で送受信される情報を中継する中継部と、前記第１のネットワークを介して接続された検索端末から受信する情報が、前記第２のネットワークを介して接続された情報検索装置に対する情報検索要求を表す場合に、該情報から検索語句を抽出する検索語句抽出部と、前記検索語句を蓄積する検索語句蓄積部と、前記検索語句蓄積部に蓄積された検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信するコンテンツ検索部と、前記コンテンツ検索部によって受信されたメタ情報を蓄積するメタ情報蓄積部と、前記第１のネットワークまたは前記第２のネットワークを介して接続された再生端末からのコンテンツリスト要求に応じて、前記メタ情報蓄積部に蓄積されたメタ情報が示すコンテンツの一覧を表すコンテンツリストを生成し、生成したコンテンツリストを前記再生端末に提示するコンテンツリスト提示部と、前記コンテンツリスト提示部によって提示されたコンテンツリストのうち、前記再生端末から受信されるコンテンツ選択情報が示すコンテンツに関して前記メタ情報蓄積部に蓄積されたメタ情報に基づいて、該コンテンツを取得するためのコンテンツ取得要求を前記コンテンツ提供元装置に送信することにより、前記コンテンツを取得して前記再生端末に送信するコンテンツ取得部と、を備える。
【０００８】
また、本発明のコンテンツ取得システムは、上述のゲートウェイ装置と、前記検索端末と、前記再生端末と、を備える。
【０００９】
また、本発明のコンテンツ取得方法は、第１のネットワークを介して接続される装置と、第２のネットワークを介して接続される装置との間で送受信される情報を中継する際に、前記第１のネットワークを介して接続された検索端末から受信する情報が、前記第２のネットワークを介して接続された情報検索装置に対する情報検索要求を表す場合に、該情報から検索語句を抽出し、前記検索語句を蓄積し、蓄積した検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信し、受信したメタ情報を蓄積し、前記第１のネットワークまたは前記第２のネットワークを介して接続された再生端末からのコンテンツリスト要求に応じて、前記メタ情報が示すコンテンツの一覧を表すコンテンツリストを生成し、生成したコンテンツリストを前記再生端末に提示し、提示したコンテンツリストのうち、前記再生端末から受信されるコンテンツ選択情報が示すコンテンツに関して蓄積されたメタ情報に基づいて、該コンテンツを取得するためのコンテンツ取得要求を前記コンテンツ提供元装置に送信することにより、前記コンテンツを取得して前記再生端末に送信する。
【００１０】
また、本発明のコンピュータ・プログラムは、第１のネットワークを介して接続される装置と、第２のネットワークを介して接続される装置との間で送受信される情報を中継する際に、前記第１のネットワークを介して接続された検索端末から受信する情報が、前記第２のネットワークを介して接続された情報検索装置に対する情報検索要求を表す場合に、該情報から検索語句を抽出する検索語句抽出ステップと、前記検索語句を蓄積する検索語句蓄積ステップと、蓄積した検索語句を、前記第２のネットワークを介して接続されたコンテンツ提供元装置に対して送信することにより、前記コンテンツ提供元装置によって提供されるコンテンツのうち前記検索語句に関連する各コンテンツのメタ情報を、前記コンテンツ提供元装置から受信するコンテンツ検索ステップと、受信したメタ情報を蓄積するメタ情報蓄積ステップと、前記第１のネットワークまたは前記第２のネットワークを介して接続された再生端末からのコンテンツリスト要求に応じて、前記メタ情報が示すコンテンツの一覧を表すコンテンツリストを生成し、生成したコンテンツリストを前記再生端末に提示するコンテンツリスト提示ステップと、提示したコンテンツリストのうち、前記再生端末から受信されるコンテンツ選択情報が示すコンテンツに関して蓄積されたメタ情報に基づいて、該コンテンツを取得するためのコンテンツ取得要求を前記コンテンツ提供元装置に送信することにより、前記コンテンツを取得して前記再生端末に送信するコンテンツ取得ステップと、をコンピュータ装置に実行させる。
【発明の効果】
【００１１】
本発明は、ユーザのプライバシーを保ちながら、ユーザの作業負担を増大させることなくユーザの嗜好に適合したコンテンツを取得可能な技術を提供することができる。
【図面の簡単な説明】
【００１２】
【図１】本発明の第１の実施の形態としてのコンテンツ取得システムの構成を示すブロック図である。
【図２】本発明の第１の実施の形態としてのコンテンツ取得システムの機能ブロック図である。
【図３】本発明の第１の実施の形態としてのコンテンツ取得システムの検索語句蓄積動作を示すシーケンス図である。
【図４】本発明の第１の実施の形態としてのゲートウェイ装置の検索語句蓄積動作を示すフローチャートである。
【図５】本発明の第１の実施の形態としてのコンテンツ取得システムのコンテンツ検索動作を示すシーケンス図である。
【図６】本発明の第１の実施の形態としてのゲートウェイ装置のコンテンツ検索動作を示すフローチャートである。
【図７】本発明の第１の実施の形態としてのコンテンツ取得システムのコンテンツ取得動作を示すシーケンス図である。
【図８】本発明の第１の実施の形態としてのゲートウェイ装置のコンテンツ取得動作を示すフローチャートである。
【図９】本発明の第２の実施の形態としてのコンテンツ取得システムの構成を示すブロック図である。
【図１０】本発明の第２の実施の形態としてのコンテンツ取得システムの機能ブロック図である。
【図１１】本発明の第２の実施の形態におけるユーザ情報格納部に格納される情報の一例を示す図である。
【図１２】本発明の第２の実施の形態におけるユーザ情報設定部によって提示されるユーザ情報設定画面の一例を示す図である。
【図１３】本発明の第２の実施の形態における情報検索要求を表す情報の一例を示す図である。
【図１４】本発明の第２の実施の形態における検索語句蓄積部に格納される情報の一例を示す図である。
【図１５】本発明の第２の実施の形態におけるメタ情報蓄積部に格納される情報の一例を示す図である。
【図１６】本発明の第２の実施の形態におけるコンテンツリスト提示部によって提示されるコンテンツリストの一例を示す図である。
【図１７】本発明の第２の実施の形態としてのゲートウェイ装置の検索語句蓄積動作を示すフローチャートである。
【図１８】本発明の第２の実施の形態としてのゲートウェイ装置のコンテンツ検索動作を示すフローチャートである。
【図１９】本発明の第２の実施の形態としてのゲートウェイ装置のコンテンツ取得動作を示すフローチャートである。
【図２０】本発明の第２の実施の形態におけるユーザ情報設定部によって提示されるユーザ情報設定画面の他の一例を示す図である。
【発明を実施するための形態】
【００１３】
以下、本発明の実施の形態について、図面を参照して詳細に説明する。
【００１４】
（第１の実施の形態）
本発明の第１の実施の形態としてのコンテンツ取得システム１０の構成を図１に示す。図１において、コンテンツ取得システム１０は、ゲートウェイ装置１と、検索端末２と、再生端末３とを備える。また、コンテンツ取得システム１０は、情報検索装置４と、コンテンツ提供元装置５とに接続されている。ここで、ゲートウェイ装置１は、第１のネットワークを介して、検索端末２および再生端末３に接続される。また、ゲートウェイ装置１は、第２のネットワークを介して、情報検索装置４と、コンテンツ提供元装置５とに接続される。第１のネットワークは、家庭内や施設内などにおけるＬＡＮ（Local Area Network）によって構成される。第１のネットワークは、有線ＬＡＮ、無線ＬＡＮ、または、これらの組み合わせによって構成されていてもよい。また、第２のネットワークは、例えば、インターネット、ＬＡＮ、公衆回線網、無線通信網またはこれらの組合せ等によって構成される。なお、図１には、各装置を１つずつ示したが、本発明のコンテンツ取得システムが備える各装置の数、および、本発明のコンテンツ取得システムが接続する各装置の数を限定するものではない。
【００１５】
ゲートウェイ装置１は、第１のネットワークおよび第２のネットワーク間で送受信される情報を中継する装置である。ゲートウェイ装置１は、例えば、ＣＰＵ（Central Processing Unit）と、ＲＡＭ（Random Access Memory）と、ＲＯＭ（Read Only Memory）と、ハードディスク等の記憶装置と、第１および第２のネットワークインタフェースとを備えたコンピュータ装置によって構成されている。第１のネットワークインタフェースは、第１のネットワークに接続するインタフェースである。第２のネットワークインタフェースは、第２のネットワークに接続するインタフェースである。
【００１６】
検索端末２は、後述の情報検索装置４によって提供される情報検索サイトにアクセスして情報を検索する装置である。検索端末２は、例えば、ＣＰＵと、ＲＡＭと、ＲＯＭと、ハードディスク等の記憶装置と、表示装置と、入力装置と、第１のネットワークに接続するネットワークインタフェースとを備えたコンピュータ装置によって構成される。
【００１７】
再生端末３は、コンテンツを再生可能な装置である。再生端末３は、例えば、検索端末２と同様な構成を有するコンピュータ装置であってもよい。また、再生端末３を構成するコンピュータ装置は、さらに、スピーカを備えていてもよい。また、再生端末３は、検索端末２と同一のコンピュータ装置によって構成されていてもよい。あるいは、再生端末３は、第１のネットワークに接続可能なネットワークインタフェースを備えたテレビ受信機や携帯端末であってもよい。
【００１８】
コンテンツ取得システム１０が接続する情報検索装置４は、ネットワーク上の情報を検索する情報検索機能を提供する装置である。例えば、情報検索装置４は、第２のネットワークに接続するネットワークインタフェースを有する一般的なコンピュータ装置によって構成される。
【００１９】
コンテンツ取得システム１０が接続するコンテンツ提供元装置５は、提供対象のコンテンツに対する検索や再生、ダウンロード等の機能を提供する装置である。ここで、コンテンツとは、例えば、音楽、映像、画像、ビデオゲーム、小説、ニュース等、ユーザにより視聴される対象となるデジタルデータをいう。例えば、コンテンツ提供元装置５は、第２のネットワークに接続するネットワークインタフェースを有する一般的なコンピュータ装置によって構成される。
【００２０】
次に、コンテンツ取得システム１０を構成する各装置の機能ブロックについて、図２を参照して説明する。
【００２１】
ゲートウェイ装置１は、中継部１１と、検索語句抽出部１２と、検索語句蓄積部１３と、コンテンツ検索部１４と、メタ情報蓄積部１５と、コンテンツリスト提示部１６と、コンテンツ取得部１７と、を備えている。ここで、中継部１１およびコンテンツ取得部１７は、記憶装置に記憶されたコンピュータ・プログラムをＲＡＭに読み込んで実行するＣＰＵと、第１および第２のネットワークインタフェースとによって構成される。また、検索語句抽出部１２は、記憶装置に記憶されたコンピュータ・プログラムをＲＡＭに読み込んで実行するＣＰＵによって構成される。また、検索語句蓄積部１３およびメタ情報蓄積部１５は、記憶装置によって構成される。また、コンテンツ検索部１４は、記憶装置に記憶されたコンピュータ・プログラムをＲＡＭに読み込んで実行するＣＰＵと、第２のネットワークインタフェースとによって構成される。また、コンテンツリスト提示部１６は、記憶装置に記憶されたコンピュータ・プログラムをＲＡＭに読み込んで実行するＣＰＵと、第１のネットワークインタフェースとによって構成される。なお、ゲートウェイ装置１の各機能ブロックを構成するハードウェア構成は、上述の構成に限定されない。
【００２２】
中継部１１は、第１のネットワークを介して接続される装置と、第２のネットワークを介して接続される装置との間で送受信される情報を中継する。例えば、中継部１１は、検索端末２から、情報検索装置４に対する情報検索要求を表す情報を、第１のネットワークを介して受信した場合、その情報検索要求を表す情報を、情報検索装置４に対して第２のネットワークを介して送信する。そして、中継部１１は、情報検索装置４から、その情報検索要求に対する応答である検索結果を表す情報を、第２のネットワークを介して受信すると、その検索結果を表す情報を、検索端末２に対して第１のネットワークを介して送信する。
【００２３】
検索語句抽出部１２は、第１のネットワークを介して接続された検索端末２から受信する情報が、第２のネットワークを介して接続された情報検索装置４に対する情報検索要求を表すか否かを判断する。そして、検索語句抽出部１２は、その情報が情報検索装置４に対する情報検索要求を表す場合に、その情報から検索語句を抽出する。
【００２４】
検索語句蓄積部１３は、検索語句抽出部１２によって抽出された検索語句を蓄積する。
【００２５】
コンテンツ検索部１４は、検索語句蓄積部１３に蓄積された検索語句を用いて、第２のネットワークを介して接続されたコンテンツ提供元装置５のコンテンツを検索する。具体的には、コンテンツ検索部１４は、検索語句蓄積部１３に蓄積された検索語句を、コンテンツ提供元装置５に対して送信する。そして、コンテンツ検索部１４は、検索結果として、その検索語句に関連する各コンテンツのメタ情報を、コンテンツ提供元装置５から受信する。このメタ情報には、少なくともそのコンテンツの格納場所を表す情報が含まれる。格納場所を表す情報とは、例えば、ＵＲＬ（Uniform Resource Locator）であってもよい。また、このメタ情報には、例えば、コンテンツの名称、キーワード、種類、サイズ、生成日時など、そのコンテンツに関連する他の情報が含まれていてもよい。
【００２６】
メタ情報蓄積部１５は、コンテンツ検索部１４によって受信されたメタ情報を蓄積する。
【００２７】
コンテンツリスト提示部１６は、第１のネットワークを介して接続された再生端末３からの要求に応じて、メタ情報蓄積部１５に蓄積されたメタ情報に基づくコンテンツリストを生成する。例えば、コンテンツリスト提示部１６は、各メタ情報が示すコンテンツの名称および種類の一覧をコンテンツリストとして生成してもよい。そしてコンテンツリスト提示部１６は、生成したコンテンツリストを再生端末３に送信する。
【００２８】
コンテンツ取得部１７は、コンテンツリスト提示部１６によって再生端末３に送信されたコンテンツリストのうち、再生端末３から受信されるコンテンツ選択情報が示すコンテンツを、コンテンツ提供元装置５から取得して再生端末３に送信する。具体的には、コンテンツ取得部１７は、再生端末３から、コンテンツ選択情報を受信する。このコンテンツ選択情報は、再生端末３において入力装置を介して取得されたものである。そして、コンテンツ取得部１７は、コンテンツ選択情報が示すコンテンツのメタ情報をメタ情報蓄積部１５から検索し、そのメタ情報が示す格納場所にあるコンテンツの実体データを要求するコンテンツ取得要求を生成する。そして、コンテンツ取得部１７は、生成したコンテンツ取得要求を第２のネットワークを介してコンテンツ提供元装置５に送信することにより、コンテンツの実体データを取得する。そして、コンテンツ取得部１７は、取得したコンテンツの実体データを再生端末３に送信する。
【００２９】
次に、検索端末２の機能ブロックについて説明する。検索端末２は、検索語句送信部２１と、検索結果出力部２２とを備えている。ここで、検索語句送信部２１は、記憶装置に記憶されたウェブクライアントアプリケーションプログラム（以下、ウェブブラウザとも記載する）を含むコンピュータ・プログラムをＲＡＭに読み込んで実行するＣＰＵと、ネットワークインタフェースと、表示装置と、入力装置とによって構成される。また、検索結果出力部２２は、記憶装置に記憶されたウェブブラウザを含むコンピュータ・プログラムをＲＡＭに読み込んで実行するＣＰＵと、ネットワークインタフェースと、表示装置とによって構成される。なお、検索端末２の各機能ブロックを構成するハードウェア構成は、上述の構成に限定されない。
【００３０】
検索語句送信部２１および検索結果出力部２２は、情報検索装置４が提供する情報検索サイトとの情報の送受信を、ゲートウェイ装置１を介して行う。
【００３１】
検索語句送信部２１は、入力装置を介して検索語句を取得する。そして、検索語句送信部２１は、取得した検索語句に関連する第２のネットワーク上の情報を検索するための情報検索要求を表す情報を、ゲートウェイ装置１を介して情報検索装置４に送信する。このような情報検索要求を表す情報には、検索語句が含まれる。
【００３２】
検索結果出力部２２は、検索語句送信部２１によって送信された情報検索要求の応答である検索結果を表す情報を、ゲートウェイ装置１を介して情報検索装置４から受信し、表示装置に出力する。
【００３３】
次に、再生端末３の機能ブロックについて説明する。再生端末３は、コンテンツリスト要求部３１と、コンテンツ再生部３２とを備える。ここで、コンテンツリスト要求部３１は、記憶装置に記憶されたコンピュータ・プログラムをＲＡＭに読み込んで実行するＣＰＵと、ネットワークインタフェースと、表示装置と、入力装置とによって構成される。また、コンテンツ再生部３２は、記憶装置に記憶されたコンピュータ・プログラムをＲＡＭに読み込んで実行するＣＰＵと、ネットワークインタフェースと、表示装置と、スピーカとによって構成される。
【００３４】
コンテンツリスト要求部３１は、入力装置による操作に応じて、ゲートウェイ装置１に対して、コンテンツリスト要求を送信する。ここで、コンテンツリスト要求とは、ゲートウェイ装置１から取得可能なコンテンツのリストを要求する情報である。そして、コンテンツリスト要求部３１は、ゲートウェイ装置１から受信するコンテンツリストを表す情報を表示する。例えば、コンテンツリスト要求部３１は、各コンテンツの名称の一覧をコンテンツリストとして表示装置に表示する。
【００３５】
また、コンテンツリスト要求部３１は、入力装置による選択操作に応じて、表示したコンテンツリストのうち再生対象となるコンテンツを特定するコンテンツ選択情報を取得する。そして、コンテンツリスト要求部３１は、取得したコンテンツ選択情報を、ゲートウェイ装置１に送信する。
【００３６】
コンテンツ再生部３２は、ゲートウェイ装置１からコンテンツの実体データを表す情報を受信し、表示装置やスピーカに出力する。
【００３７】
コンテンツ取得システム１０が接続する情報検索装置４は、外部から受信する検索語句に応じた第２のネットワーク上の情報を検索し、検索した情報の一覧を表す情報を、検索結果として検索語句の送信元に送信する。例えば、情報検索装置４は、ウェブサーバアプリケーションプログラムと、検索エンジンプログラムとを実行する一般的なコンピュータ装置によって構成される。
【００３８】
コンテンツ取得システム１０が接続するコンテンツ提供元装置５は、提供対象となるコンテンツに対する検索およびダウンロード等の機能を提供する装置である。コンテンツ提供元装置５は、コンテンツ検索機能提供部５１と、コンテンツサーバ部５２とを有している。
【００３９】
コンテンツ検索機能提供部５１は、ウェブサーバアプリケーションプログラムと、データベースサーバアプリケーションプログラムとによって実現される。コンテンツ検索機能提供部５１は、コンテンツサーバ部５２に格納される後述の各コンテンツについて、その格納場所を表す情報を含むメタ情報を、データベースのテーブルとして記憶している。
【００４０】
また、コンテンツ検索機能提供部５１は、コンテンツに対する検索語句を外部から取得すると、その検索語句に関連する各コンテンツのメタ情報をデータベースから検索する。そして、コンテンツ検索機能提供部５１は、検索したコンテンツのメタ情報を、検索語句の送信元に応答する。例えば、各コンテンツのメタ情報に各コンテンツの名称が含まれる場合、コンテンツ検索機能提供部５１は、検索語句を含む名称のコンテンツのメタ情報を検索するものであってもよい。その他、コンテンツ検索機能提供部５１は、検索語句を用いてコンテンツを検索するその他の技術を用いることにより、検索語句に関連するコンテンツのメタ情報を取得するものであればよい。
【００４１】
コンテンツサーバ部５２は、提供対象となるコンテンツの実体データを格納している。また、コンテンツサーバ部５２は、外部からコンテンツの取得要求としてその格納場所を表す情報を取得すると、その格納場所によって特定されるコンテンツの実体データを、取得要求元に送信する。
【００４２】
なお、コンテンツ検索機能提供部５１およびコンテンツサーバ部５２は、同一のコンピュータ装置によって構成されていてもよいし、異なるコンピュータ装置によって構成されていてもよい。異なるコンピュータ装置によって構成されている場合、コンテンツ検索機能提供部５１およびコンテンツサーバ部５２をそれぞれ構成するコンピュータ装置は、ネットワークを介して互いに通信可能に接続されているものとする。
【００４３】
以上のように構成されたコンテンツ取得システム１０の動作について、図面を参照して説明する。
【００４４】
まず、コンテンツ取得システム１０の検索語句蓄積動作を図３に示す。
【００４５】
ここでは、まず、検索端末２は、入力装置を介して取得した検索語句を含む情報検索要求を表す情報を、ゲートウェイ装置１の中継部１１に送信する（ステップＳ１）。
【００４６】
次に、ゲートウェイ装置１の検索語句抽出部１２は、中継部１１によって受信された情報から検索語句を抽出し、検索語句蓄積部１３に蓄積する（ステップＳ２）。
【００４７】
次に、中継部１１は、ステップＳ１で受信した情報検索要求を表す情報を、情報検索装置４に対して送信する（ステップＳ３）。
【００４８】
次に、中継部１１は、情報検索装置４から検索結果を表す情報を受信し、受信した情報を、検索端末２に対して送信する（ステップＳ４）。
【００４９】
次に、検索端末２は、検索結果を出力する（ステップＳ５）。
【００５０】
以上で、コンテンツ取得システム１０は、検索語句蓄積動作を終了する。
【００５１】
次に、このような検索語句蓄積動作におけるゲートウェイ装置１の動作の詳細を図４に示す。
【００５２】
ここでは、まず、中継部１１は、第２のネットワークを介して送信するための情報を、第１のネットワークを介して受信する（ステップＳ１１）。
【００５３】
次に、検索語句抽出部１２は、ステップＳ１１で受信した情報が、検索端末２から情報検索装置４に対する情報検索要求であるか否かを判断する（ステップＳ１２）。
【００５４】
ここで、検索端末２から情報検索装置４に対する情報検索要求でないと判断した場合、中継部１１は、ステップＳ１１で受信した情報を、宛先として指定されている装置に対して、第２のネットワークを介して送信する（ステップＳ１５）。
【００５５】
次に、中継部１１は、ステップＳ１５で送信した情報に対する応答を受信すると、その応答を、ステップＳ１１で受信した情報の送信元に対して送信する（ステップＳ１６）。
【００５６】
一方、ステップＳ１２で、検索端末２から情報検索装置４に対する情報検索要求であると判断した場合、検索語句抽出部１２は、ステップＳ１１で受信した情報から、検索語句を抽出する（ステップＳ１３）。
【００５７】
次に、検索語句抽出部１２は、抽出した検索語句を、検索語句蓄積部１３に蓄積する（ステップＳ１４）。
【００５８】
次に、中継部１１は、ステップＳ１５〜Ｓ１６を実行する。つまり、中継部１１は、ステップＳ１１で受信した情報検索要求を表す情報を、情報検索装置４に送信し、情報検索装置４から受信する検索結果を表す情報を、検索端末２に送信する。
【００５９】
以上で、ゲートウェイ装置１は、検索語句蓄積動作を終了する。
【００６０】
次に、コンテンツ取得システム１０のコンテンツ検索動作を図５に示す。
【００６１】
まず、ゲートウェイ装置１のコンテンツ検索部１４は、検索語句蓄積部１３に蓄積された検索語句を、コンテンツ提供元装置５に対して送信する（ステップＳ２１）。
【００６２】
次に、ゲートウェイ装置１は、コンテンツ提供元装置５から、検索語句に関連する各コンテンツのメタ情報を受信する（ステップＳ２２）。このコンテンツのメタ情報は、コンテンツ提供元装置５において、コンテンツ検索機能提供部５１によって検索語句を用いてデータベースから検索されたものである。
【００６３】
次に、ゲートウェイ装置１のコンテンツ検索部１４は、受信した各メタ情報を、メタ情報蓄積部１５に蓄積する（ステップＳ２３）。
【００６４】
以上で、コンテンツ取得システム１０は、コンテンツ検索動作を終了する。
【００６５】
次に、このようなコンテンツ検索動作におけるゲートウェイ装置１の動作の詳細を図６に示す。ゲートウェイ装置１は、図６に示す動作を、検索語句が蓄積される度に実行してもよいし、あらかじめ定められたスケジュールにしたがって実行してもよい。
【００６６】
ここでは、まず、コンテンツ検索部１４は、検索語句蓄積部１３に蓄積された検索語句を、コンテンツ提供元装置５に対して送信する（ステップＳ３１）。
【００６７】
次に、コンテンツ検索部１４は、コンテンツ提供元装置５から、検索語句に関連する各コンテンツのメタ情報を受信する（ステップＳ３２）。
【００６８】
次に、コンテンツ検索部１４は、受信した各メタ情報を、メタ情報蓄積部１５に蓄積する（ステップＳ３３）。
【００６９】
以上で、ゲートウェイ装置１は、コンテンツ検索動作を終了する。
【００７０】
次に、コンテンツ取得システム１０のコンテンツ取得動作を図７に示す。
【００７１】
ここでは、まず、再生端末３のコンテンツリスト要求部３１は、ゲートウェイ装置１に対して、コンテンツリスト要求を送信する（ステップＳ４１）。
【００７２】
次に、ゲートウェイ装置１のコンテンツリスト提示部１６は、メタ情報蓄積部１５に蓄積されたメタ情報に基づくコンテンツリストを生成する（ステップＳ４２）。
【００７３】
次に、コンテンツリスト提示部１６は、生成したコンテンツリストを再生端末３に送信する（ステップＳ４３）。
【００７４】
次に、再生端末３のコンテンツリスト要求部３１は、受信したコンテンツリストを表示装置に出力し、入力装置による選択操作に基づいて、コンテンツ選択情報を取得する（ステップＳ４４）。
【００７５】
次に、コンテンツリスト要求部３１は、コンテンツ選択情報が示すコンテンツを再生する要求を、ゲートウェイ装置１に送信する（ステップＳ４５）。
【００７６】
次に、ゲートウェイ装置１のコンテンツ取得部１７は、受信したコンテンツ選択情報が示すコンテンツの実体データを要求するコンテンツ取得要求を、コンテンツ提供元装置５に対して送信する（ステップＳ４６）。このとき、コンテンツ取得部１７は、受信したコンテンツ選択情報が示すコンテンツに関するメタ情報をメタ情報蓄積部１５から検索することにより、そのメタ情報に含まれる該当コンテンツの格納場所を得る。そして、コンテンツ取得部１７は、該当するコンテンツの格納場所を用いて、コンテンツ取得要求を送信すればよい。
【００７７】
次に、コンテンツ取得部１７は、コンテンツ取得要求の応答として、コンテンツの実体データを、コンテンツ提供元装置５から受信する（ステップＳ４７）。
【００７８】
次に、コンテンツ取得部１７は、受信したコンテンツの実体データを、再生端末３に送信する（ステップＳ４８）。
【００７９】
次に、再生端末３のコンテンツ再生部３２は、ゲートウェイ装置１からコンテンツの実体データを受信し、受信したデータを再生する（ステップＳ４９）。
【００８０】
以上で、コンテンツ取得システム１０は、コンテンツ取得動作を終了する。
【００８１】
次に、このようなコンテンツ取得動作におけるゲートウェイ装置１の動作の詳細を図８に示す。
【００８２】
ここでは、まず、コンテンツリスト提示部１６は、再生端末３からコンテンツリスト要求を受信する（ステップＳ５１）。
【００８３】
次に、コンテンツリスト提示部１６は、メタ情報蓄積部１５に蓄積されたメタ情報に基づいて、コンテンツリストを生成する（ステップＳ５２）。
【００８４】
次に、コンテンツリスト提示部１６は、生成したコンテンツリストを、再生端末３に送信する（ステップＳ５３）。
【００８５】
次に、コンテンツ取得部１７は、送信したコンテンツリストのうち再生対象として選択されたコンテンツを表すコンテンツ選択情報を、再生端末３から受信する（ステップＳ５４）。
【００８６】
次に、コンテンツ取得部１７は、受信したコンテンツ選択情報が示すコンテンツを取得するコンテンツ取得要求を、コンテンツ提供元装置５に対して送信する（ステップＳ５５）。
【００８７】
次に、コンテンツ取得部１７は、コンテンツ取得要求が示す格納場所にあるコンテンツを、コンテンツ提供元装置５から受信する（ステップＳ５６）。
【００８８】
次に、コンテンツ取得部１７は、受信したコンテンツを、再生端末３に送信する（ステップＳ５７）。
【００８９】
以上で、ゲートウェイ装置１は、コンテンツ取得動作を終了する。
【００９０】
次に、本発明の第１の実施の形態の効果について述べる。
【００９１】
本発明の第１の実施の形態としてのコンテンツ取得システムおよびゲートウェイ装置は、ユーザのプライバシーを保ちながら、ユーザの作業負担を増大させることなくユーザの嗜好に適合したコンテンツを取得することができる。
【００９２】
その理由は、ゲートウェイ装置の検索語句蓄積部が、第１のネットワークに接続する検索端末から第２のネットワークに接続する情報検索装置に対して送信される検索語句を蓄積し、コンテンツ検索部が、蓄積した検索語句を用いてコンテンツ提供元装置のコンテンツを検索してそのメタ情報を蓄積しておくからである。そして、コンテンツリスト提示部が、再生端末からのコンテンツリスト要求に応じて、蓄積しておいたメタ情報に基づくコンテンツリストを再生端末に提示し、そのうち再生端末において取得されたコンテンツ選択情報が示すコンテンツの実体データを、コンテンツ提供元装置から取得して再生端末に送信するからである。
【００９３】
このように、本発明の第１の実施の形態としてのコンテンツ取得システムおよびゲートウェイ装置は、ユーザが日常的に利用する情報検索装置に対して用いられた検索語句を収集して蓄積し、蓄積した検索語句に基づいて、コンテンツ提供元のコンテンツをユーザの作業負担なく収集する。これにより、ユーザは、日常的に利用する情報検索装置において情報検索を行うだけで、煩雑な操作の必要なく、第２のネットワーク上で提供されるコンテンツのうち、自身の嗜好にあったものを再生端末で視聴できることになる。また、そのようなユーザが用いる検索語句は、ゲートウェイ装置に蓄積され、第２のネットワークに接続される他の装置に蓄積されることがない。したがって、本発明の第１の実施の形態としてのコンテンツ取得システムおよびゲートウェイ装置は、ユーザのプライバシーを保つことができる。
【００９４】
また、このように、本発明の第１の実施の形態としてのコンテンツ取得システムおよびゲートウェイ装置は、携帯電話端末やテレビ受信機等のように、ウェブブラウザ等の情報検索クライアント機能を有していない再生端末や、検索語句の入力が容易なキーボードを有していない再生端末においても、作業負担なく、ユーザの嗜好にあった第２のネットワーク上のコンテンツを再生することを可能としている。
【００９５】
（第２の実施の形態）
次に、本発明の第２の実施の形態について図面を参照して詳細に説明する。なお、本実施の形態の説明において参照する各図面において、本発明の第１の実施の形態と同一の構成および同様に動作するステップには同一の符号を付して本実施の形態における詳細な説明を省略する。
【００９６】
まず、本発明の第２の実施の形態としてのコンテンツ取得システム６０の構成を、図９に示す。図９において、コンテンツ取得システム６０は、本発明の第１の実施の形態としてのコンテンツ取得システム１０に対して、ゲートウェイ装置１に替えてゲートウェイ装置６を備える点が異なる。なお、図９には、各装置を１つずつ示したが、本発明のコンテンツ取得システムが備える各装置の数、および、本発明のコンテンツ取得システムが接続する各装置の数を限定するものではない。
【００９７】
また、本実施の形態では、ゲートウェイ装置６および再生端末３が、ＵＰｎＰＡＶ（Universal Plug and Play Audio Visual）規格にしたがったＤＬＮＡ（Digital Living Network Alliance）機器である例を中心に説明する。ＵＰｎＰＡＶは、家庭内などのＬＡＮにおいて、パーソナルコンピュータやデジタルＡＶ（Audio Visual）機器等を接続するだけでＬＡＮへの参加を可能とするＵＰｎＰ（Universal Plug and Play）プロトコルを、ＡＶコンテンツ向けに特化させた規格である。ＵＰｎＰＡＶ規格は、ＬＡＮ内で、映像や音楽等のコンテンツを保持する機器から再生する機器に転送するための各種プロトコルを規定している。また、ＤＬＮＡは、ＵＰｎＰＡＶプロトコル等を用いて機器間通信を規定したガイドラインである。ＤＬＮＡに従う機器間は、製造元や機種が異なる場合でも、ＬＡＮを介して互いに認識可能である。ＵＰｎＰＡＶ規格では、コンテンツを保持し公開するメディアサーバ（以下、ＤＭＳとも記載する）の機能を持つデバイスと、コンテンツを再生するメディアレンダラー（以下、レンダラーとも記載する）の機能を持つデバイスと、ＤＭＳやレンダラーを制御するコントロールポイントの機能を持つデバイスとが定義されている。また、レンダラーおよびコントロールポイントの双方の機能を持つデバイスも多い。本実施の形態では、ゲートウェイ装置６がＤＭＳの機能を持ち、再生端末３がレンダラーおよびコントロールポイントの機能をもつデバイスである例を中心に説明する。
【００９８】
次に、コンテンツ取得システム６０の機能ブロック構成を図１０に示す。図１０において、ゲートウェイ装置６は、本発明の第１の実施の形態としてのゲートウェイ装置１に対して、検索語句抽出部１２に替えて検索語句抽出部６２と、検索語句蓄積部１３に替えて検索語句蓄積部６３と、コンテンツ検索部１４に替えてコンテンツ検索部６４と、メタ情報蓄積部１５に替えてメタ情報蓄積部６５と、コンテンツリスト提示部１６に替えてコンテンツリスト提示部６６と、コンテンツ取得部１７に替えてコンテンツ取得部６７とを備え、さらに、ユーザ情報格納部６８と、ユーザ情報設定部６９と、ローカルコンテンツ格納部７０とを備える点が異なる。ここで、ユーザ情報格納部６８およびローカルコンテンツ格納部７０は、記憶装置によって構成される。また、ユーザ情報設定部６９は、記憶装置に記憶されたコンピュータ・プログラムをＲＡＭに読み込んで実行するＣＰＵと、第１のネットワークインタフェースとによって構成される。
【００９９】
ユーザ情報格納部６８は、第１のネットワークに接続される各装置を利用するユーザに関する情報を格納している。ユーザ情報格納部６８に格納される情報の一例を図１１に示す。図１１において、ユーザ情報格納部６８は、ユーザを識別する情報としてのユーザＩＤと、登録端末と、登録検索サイトＵＲＬと、登録レンダラーと、登録サービス提供元ＵＲＬとをそれぞれ表す情報を含むユーザ情報を格納している。ユーザ情報格納部６８は、例えば、データベースのテーブルとして記憶装置に記憶される。
【０１００】
登録端末は、各ユーザが情報検索を行うために利用する検索端末２を識別する情報である。この例では、ユーザ情報格納部６８は、各検索端末２を識別する情報として、ＩＰ（Internet Protocol）アドレスまたはＭＡＣ（Media Access Control Address）アドレスを格納している。
【０１０１】
登録検索サイトＵＲＬは、各ユーザが情報検索を行う第２のネットワークに接続された装置のうち、検索語句の抽出対象とする情報検索装置４を識別する情報である。この例では、ユーザ情報格納部６８は、そのような情報検索装置４のＵＲＬを格納している。
【０１０２】
登録レンダラーは、各ユーザがコンテンツを再生する再生端末３を識別する情報である。図１１の例では、わかりやすさのために再生端末３の名称を記載しているが、ユーザ情報格納部６８は、そのような登録レンダラーとしての再生端末３を識別可能な情報を格納すればよい。例えば、再生端末３を識別可能な情報は、ＵＰｎＰデバイスを識別する情報であるＵＵＩＤ（Universal Unique Identifier）であってもよい。
【０１０３】
登録サービス提供元ＵＲＬは、各ユーザが収集したいコンテンツを提供するコンテンツ提供元装置５を識別する情報である。この例では、ユーザ情報格納部６８は、コンテンツ提供元装置５を識別する情報として、コンテンツ提供元装置５のＵＲＬを格納している。
【０１０４】
ユーザ情報設定部６９は、ユーザ情報格納部６８に格納される情報を設定するためのインタフェース機能を提供する。ユーザ情報設定部６９は、例えば、データベース入出力インタフェースを有するウェブサーバアプリケーションと、各項目の入力欄を有するウェブページ（以降、設定ページともいう）を表す情報とによって構成されていてもよい。この場合、ユーザ情報設定部６９は、第１のネットワークに接続された装置のうち、ウェブブラウザを実行する装置によってアクセスされることが可能である。ユーザ情報設定部６９は、検索端末２、再生端末３、または、第１のネットワークに接続された他の装置（図示せず）からの要求に応じて、上述の設定ページを表す情報を、要求元の装置に送信する。このような設定ページの一例を図１２に示す。ユーザ情報設定部６９は、検索端末２、再生端末３、または、第１のネットワークに接続された他の装置から、このような設定ページに入力された各項目を表す情報を受信することにより、受信した情報をユーザ情報格納部６８に格納する。
【０１０５】
ローカルコンテンツ格納部７０は、コンテンツの実体データを格納する。ローカルコンテンツ格納部７０に格納されるコンテンツは、以前にコンテンツ提供元装置５から取得済みのものであってもよい。また、ローカルコンテンツ格納部７０に格納されるコンテンツは、ゲートウェイ装置６が有する記録媒体読取装置（図示せず）から読み込まれたものや、第１のネットワークを介して接続する他の装置から登録されたものであってもよい。以下、ローカルコンテンツ格納部７０に格納されるコンテンツを、ローカルコンテンツとも記載する。
【０１０６】
検索語句抽出部６２は、中継部１１によって受信された情報が、ユーザ情報格納部６８に格納されたユーザ情報に含まれる検索端末２から、そのユーザ情報に含まれる情報検索装置４（登録検索サイトＵＲＬ）への情報検索要求を表すか否かを判断する。そして、検索語句抽出部６２は、該当する検索端末２から情報検索装置４への情報検索要求であった場合、本発明の第１の実施の形態における検索語句抽出部１２と同様に動作して検索語句を抽出する。
【０１０７】
また、検索語句抽出部６２は、抽出した検索語句を、ユーザＩＤ毎に検索語句蓄積部６３に蓄積する。
【０１０８】
例えば、中継部１１によって受信された情報が、ＨＴＴＰ（Hypertext Transfer Protocol）のＧＥＴメソッドによる情報検索要求であった場合の具体例について説明する。図１３は、そのような情報検索要求を表す情報の一例である。図１３において、文字情報Ａは、検索語句を表している。また、文字情報Ｂは、情報検索装置４のＵＲＬを表している。したがって、この場合、まず、検索語句抽出部６２は、この例のような情報検索要求を表す情報の送信元のＩＰアドレスまたはＭＡＣアドレスが、ユーザ情報格納部６８に登録されたユーザ情報に「登録端末」として含まれるか否かを判断する。そして、含まれる場合、検索語句抽出部６２は、その内容を解析して文字情報Ｂを取得する。そして、検索語句抽出部６２は、文字情報Ｂが、該当するユーザ情報に「登録検索サイトＵＲＬ」として含まれる場合、さらにその内容を解析することにより、文字情報Ａを検索語句として抽出すればよい。
【０１０９】
検索語句蓄積部６３は、検索語句を格納する検索語句テーブルを、ユーザＩＤ毎に保持している。検索語句蓄積部６３は、例えば、データベースのテーブルとして記憶装置に記憶される。検索語句蓄積部６３に格納されるユーザＩＤ毎の検索語句テーブルの一例を図１４に示す。図１４は、ユーザＩＤ「ユーザ１」の検索語句テーブルである。
【０１１０】
また、検索語句抽出部６２は、ユーザＩＤ毎の検索語句テーブルに、検索語句を、検索頻度を表す情報と共に蓄積してもよい。
【０１１１】
コンテンツ検索部６４は、ユーザ情報格納部６８に登録済みのユーザＩＤ毎に、本発明の第１の実施の形態におけるコンテンツ検索部１４と同様の動作を行うよう構成される。すなわち、コンテンツ検索部６４は、ユーザＩＤ毎に、そのユーザＩＤの検索語句テーブルに格納された検索語句を、そのユーザ情報に「登録サービス提供元ＵＲＬ」として含まれるコンテンツ提供元装置５に送信する。そして、コンテンツ検索部６４は、その検索結果として、検索語句に関連する各コンテンツのメタ情報を受信する。また、コンテンツ検索部６４は、検索結果として受信したメタ情報を、ユーザＩＤ毎にメタ情報蓄積部６５に蓄積する。以降、コンテンツ検索部６４によって受信されるメタ情報が示すコンテンツを、ネットワークコンテンツとも記載する。
【０１１２】
また、検索語句蓄積部６３に検索頻度を表す情報と共に検索語句が蓄積されている場合、コンテンツ検索部６４は、その検索頻度に基づいて、コンテンツの検索処理を行ってもよい。例えば、検索語句蓄積部６３は、検索頻度が閾値以上の検索語句について、コンテンツの検索処理を行うようにしてもよい。
【０１１３】
メタ情報蓄積部６５は、ネットワークコンテンツのメタ情報を格納するメタ情報テーブルを、ユーザＩＤ毎に保持している。メタ情報蓄積部６５は、例えば、データベースのテーブルとして記憶装置に記憶される。メタ情報蓄積部６５が蓄積するネットワークコンテンツのメタ情報の一例を図１５に示す。図１５は、ユーザの検索語句によってコンテンツ提供元装置５において検索された静止画コンテンツのメタ情報の一例である。この静止画コンテンツのメタ情報には、このコンテンツのタイトル（photo_title）、画像の縦のサイズ（original_height）、横のサイズ（original_width）、登録日時（regist_time）、このコンテンツのＵＲＬ（original_image_url）が含まれている。
【０１１４】
コンテンツリスト提示部６６は、再生端末３からコンテンツリスト要求を受信すると、その要求元の再生端末３を識別する情報が、ユーザ情報格納部６８に登録されたユーザ情報に含まれるものであるか否かを判断する。そして、コンテンツリスト提示部６６は、ユーザ情報格納部６８に登録された再生端末３である場合、そのユーザＩＤに基づきコンテンツリストを生成して再生端末３に送信する。
【０１１５】
具体的には、コンテンツリスト提示部６６は、そのユーザＩＤのメタ情報テーブルと、ローカルコンテンツ格納部７０に格納されたローカルコンテンツとに基づいて、コンテンツリストを生成する。このようにして生成されるコンテンツリストの一例を図１６に示す。図１６は、ＵＰｎＰＡＶのＢＲＯＷＳＥコマンド（コンテンツリスト要求）に応答するための、ＵＰｎＰＡＶの仕様にしたがったコンテンツリストの一例である。図１６において、アイテムＣおよびアイテムＤは、各コンテンツを表している。また、アイテムＣは、ローカルコンテンツ格納部７０に蓄積されたローカルコンテンツを表している。また、アイテムＤは、そのユーザＩＤのメタ情報テーブルに基づいて生成されたネットワークコンテンツを表している。コンテンツリスト提示部６６は、例えば、図１５に示したメタ情報に基づいて、photo_titleを、コンテンツリストのアイテムのdc:titleに変換する。また、例えば、コンテンツリスト提示部６６は、メタ情報のoriginal_heightおよびoriginal_widthを、コンテンツリストのアイテムのresolutionに変換する。また、例えば、コンテンツリスト提示部６６は、メタ情報のregist_timeを、コンテンツリストのアイテムのdc:dateに変換する。また、例えば、コンテンツリスト提示部６６は、コンテンツリストのアイテムに含まれるＵＲＬとして、自装置のドメインに、ネットワークコンテンツを識別可能な情報（例えばコンテンツＩＤ等）を連続させた情報を埋め込む。これにより、再生端末３に提示するコンテンツリストは、ローカルコンテンツおよびネットワークコンテンツの区別がないものとなる。
【０１１６】
このように、コンテンツリスト提示部６６は、蓄積したメタ情報から、コンテンツタイトル、コンテンツのサイズ、撮影日等を表す情報を抽出し、例えば、ＵＰｎＰＡＶ等で規定された構文に組み込むことで、コンテンツリストを生成する。
【０１１７】
コンテンツ取得部６７は、再生端末３において取得されたコンテンツ選択情報を受信する。コンテンツ選択情報が示すコンテンツがローカルコンテンツであれば、コンテンツ取得部６７は、そのローカルコンテンツの実体データを、ローカルコンテンツ格納部７０から検索して再生端末３に送信する。コンテンツ選択情報が示すコンテンツがネットワークコンテンツであれば、コンテンツ取得部６７は、コンテンツ選択情報に基づいて、そのネットワークコンテンツのメタ情報をメタ情報蓄積部６５から検索する。そして、コンテンツ取得部６７は、そのメタ情報に含まれるそのネットワークコンテンツの格納場所に基づいて、コンテンツ取得要求を生成し、コンテンツ提供元装置５に送信する。そして、コンテンツ取得部６７は、コンテンツ提供元装置５から受信するネットワークコンテンツの実体データを、再生端末３に送信する。
【０１１８】
例えば、コンテンツ取得部６７がＵＰｎＰＡＶ仕様にしたがったＤＭＳによって構成される場合、コンテンツ取得部６７は、再生端末３から、コンテンツ選択情報としてＰｌａｙコマンドを受信する。そして、そのＰｌａｙコマンドが示すアイテムがネットワークコンテンツである場合、コンテンツ取得部６７は、そのメタ情報に含まれるＵＲＬに対して、ＨＴＴＰのＧＥＴメソッドを送信することにより実体データを取得すればよい。
【０１１９】
以上のように構成されたコンテンツ取得システム６０の動作について、図面を参照して説明する。なお、コンテンツ取得システム６０の検索語句蓄積動作、コンテンツ検索動作、および、コンテンツ取得動作の概略は、図３、図５、および、図７を参照して説明した本発明の第１の実施の形態としてのコンテンツ取得システム１０の動作の概略と同様であるため、本実施の形態における説明を省略する。本実施の形態では、ゲートウェイ装置６の検索語句蓄積動作、コンテンツ検索動作、および、コンテンツ取得動作について説明する。
【０１２０】
まず、ゲートウェイ装置６の検索語句蓄積動作の詳細を図１７に示す。
【０１２１】
ここでは、まず、中継部１１は、第２のネットワークを介して接続される装置に送信するための情報を、第１のネットワークを介して受信する（ステップＳ６１）。
【０１２２】
次に、検索語句抽出部６２は、ステップＳ６１で受信した情報が、ユーザ情報格納部６８に登録された同一のユーザ情報に含まれる検索端末２から情報検索装置４への情報検索要求であるか否かを判断する（ステップＳ６２）。
【０１２３】
ここで、該当する情報検索要求でないと判断した場合、中継部１１は、本発明の第１の実施の形態としてのゲートウェイ装置１と同様にステップＳ１５〜Ｓ１６を実行することにより、ステップＳ６１で受信した情報の中継処理を行う。
【０１２４】
一方、ステップＳ６２で、同一のユーザ情報に含まれる検索端末２から情報検索装置４への情報検索要求であると判断した場合、検索語句抽出部６２は、ステップＳ６１で受信した情報から、検索語句を抽出する（ステップＳ６３）。例えば、検索語句抽出部６２は、図１３に示したようなＨＴＴＰ  ＧＥＴメソッドから、検索語句を抽出する。
【０１２５】
次に、検索語句抽出部６２は、抽出した検索語句を、検索語句蓄積部６３の該当するユーザＩＤの検索語句テーブルに蓄積する（ステップＳ６４）。
【０１２６】
次に、ゲートウェイ装置６は、本発明の第１の実施の形態としてのゲートウェイ装置１と同様にステップＳ１５〜Ｓ１６を実行することにより、ステップＳ６１で受信した情報検索要求を情報検索装置４へ送信するとともに、受信した検索結果を表す情報を検索端末２に送信する。
【０１２７】
以上で、ゲートウェイ装置６は、検索語句蓄積動作を終了する。
【０１２８】
次に、ゲートウェイ装置６のコンテンツ検索動作の詳細を図１８に示す。ゲートウェイ装置６は、図１８に示す動作を、検索語句が蓄積される度に実行してもよいし、あらかじめ定められたスケジュールにしたがって実行してもよい。
【０１２９】
ここでは、コンテンツ検索部６４は、ユーザＩＤ毎に以下のステップＳ７１〜Ｓ７３の処理を実行する。
【０１３０】
まず、コンテンツ検索部６４は、検索語句蓄積部６３において、このユーザＩＤの検索語句テーブルに蓄積された検索語句を、コンテンツ提供元装置５に対して送信する（ステップＳ７１）。このとき、前述のように、コンテンツ検索部６４は、検索頻度が閾値以上の検索語句を、コンテンツ提供元装置５に対して送信するようにしてもよい。
【０１３１】
次に、コンテンツ検索部６４は、コンテンツ提供元装置５から、このユーザＩＤの検索語句に関連するネットワークコンテンツのメタ情報を受信する（ステップＳ７２）。
【０１３２】
次に、コンテンツ検索部６４は、受信した各メタ情報を、そのユーザＩＤのメタ情報テーブルに蓄積する（ステップＳ７３）。
【０１３３】
以上で、ゲートウェイ装置６は、コンテンツ検索動作を終了する。
【０１３４】
次に、ゲートウェイ装置６のコンテンツ取得動作の詳細を図１９に示す。
【０１３５】
ここでは、まず、コンテンツリスト提示部６６は、再生端末３からコンテンツリスト要求を受信する（ステップＳ８１）。例えば、再生端末３がＵＰｎＰＡＶ規格におけるコントロールポイント機能を有するデバイスであれば、コンテンツリスト提示部６６は、Ｂｒｏｗｓｅコマンドを受信する。
【０１３６】
次に、コンテンツリスト提示部６６は、ステップＳ８１で受信したコンテンツリスト要求の送信元である再生端末３を識別する情報が、ユーザ情報格納部６８に格納されたユーザ情報に含まれるものであるか否かを判断する（ステップＳ８２）。
【０１３７】
ここで、送信元の再生端末３の識別情報が、ユーザ情報格納部６８に格納されたユーザ情報に含まれないと判断した場合、コンテンツリスト提示部６６は、ローカルコンテンツ格納部７０に格納されたローカルコンテンツの一覧を表すコンテンツリストを生成する（ステップＳ８３）。
【０１３８】
一方、送信元の再生端末３の識別情報が、ユーザ情報格納部６８に格納されたユーザ情報に含まれると判断した場合、コンテンツリスト提示部６６は、そのユーザ情報に含まれるユーザＩＤを取得する。そして、コンテンツリスト提示部６６は、そのユーザＩＤのメタ情報テーブルに蓄積されたメタ情報が示すネットワークコンテンツの一覧と、ローカルコンテンツ格納部７０に格納されたローカルコンテンツの一覧とを表すコンテンツリストを生成する（ステップＳ８４）。例えば、ステップＳ８１においてＢｒｏｗｓｅコマンドを受信していれば、コンテンツリスト提示部６６は、Ｂｒｏｗｓｅ応答として、そのユーザＩＤのメタ情報テーブルに蓄積されたメタ情報を、図１６に一例を示したような形式の構文に埋め込むことにより、コンテンツリストを生成する。
【０１３９】
次に、コンテンツリスト提示部６６は、コンテンツリストを再生端末３に送信する（ステップＳ８５）。
【０１４０】
次に、コンテンツ取得部６７は、再生端末３から、コンテンツ選択情報を受信する（ステップＳ８６）。例えば、再生端末３がＵＰｎＰＡＶ規格におけるコントロールポイント機能を有するデバイスであれば、コンテンツリスト提示部６６は、Ｐｌａｙコマンドを受信する。
【０１４１】
次に、コンテンツ取得部６７は、ステップＳ８６で受信したコンテンツ選択情報が示すコンテンツが、ネットワークコンテンツであるか否かを判断する（ステップ８７）。
【０１４２】
ここで、ネットワークコンテンツではない（ローカルコンテンツである）と判断した場合、コンテンツ取得部６７は、ローカルコンテンツ格納部７０からそのローカルコンテンツの実体データを取得して、再生端末３に送信する（ステップ８８）。
【０１４３】
一方、ステップＳ８７において、ネットワークコンテンツであると判断した場合、コンテンツ取得部６７は、そのネットワークコンテンツの格納場所に基づくコンテンツ取得要求を、コンテンツ提供元装置５に対して送信する（ステップＳ８９）。例えば、このコンテンツ取得要求は、ＨＴＴＰ  ＧＥＴメソッドによって行われる。このとき、コンテンツ取得部６７は、コンテンツ選択情報が示すネットワークコンテンツに関するメタ情報を、メタ情報蓄積部６５から検索することにより、そのメタ情報に含まれる格納場所を表す情報を得る。
【０１４４】
次に、コンテンツ取得部６７は、コンテンツ取得要求の応答としてネットワークコンテンツの実体データを、コンテンツ提供元装置５から受信する（ステップＳ９０）。
【０１４５】
次に、コンテンツ取得部６７は、受信したネットワークコンテンツの実体データを、再生端末３に送信する（ステップＳ９１）。
【０１４６】
以上で、ゲートウェイ装置６は、コンテンツ取得動作を終了する。
【０１４７】
なお、本実施の形態において、ユーザ情報格納部６８は、各ユーザＩＤに対して、１つの登録端末（検索端末）を対応付けて格納するものとして説明したが、複数の検索端末を対応付けて格納してもよい。同様に、ユーザ情報格納部６８は、各ユーザＩＤに対して、複数の検索サイトＵＲＬ（情報検索装置）、複数のレンダラー（再生端末）、または、複数のサービス提供元ＵＲＬ（コンテンツ提供元装置）を対応付けて格納してもよい。
【０１４８】
また、ユーザ情報格納部６８は、各ユーザＩＤに対して、そのユーザ自身の検索語句から収集されたコンテンツリストを公開可能な他のユーザＩＤ（以下、公開許可ユーザともいう）を、さらに対応付けて格納してもよい。
【０１４９】
このような場合の、ユーザ情報設定部６９によって提供されるユーザ情報設定画面の一例を図２０に示す。
【０１５０】
この場合、図１９のステップＳ８４において、コンテンツリスト提示部６６は、その再生端末３の識別情報に対応付けられたユーザＩＤ（ユーザＩＤ＿ａとする）が、公開許可ユーザとして設定されている他のユーザＩＤ（ユーザＩＤ＿ｂとする）を取得する。そして、コンテンツリスト提示部６６は、ユーザＩＤ＿ａおよびユーザＩＤ＿ｂに対応付けられたメタ情報を、コンテンツリストの形式に変換すればよい。
【０１５１】
次に、本発明の第２の実施の形態の効果について述べる。
【０１５２】
本発明の第２の実施の形態としてのコンテンツ取得システムおよびゲートウェイ装置は、ユーザのプライバシーを保ちながら、ユーザの作業負担を増大させることなくユーザの嗜好に適合したコンテンツを取得する機能を、ＬＡＮ内の複数のユーザに対して提供することができる。
【０１５３】
その理由は、ユーザ情報格納部が、ゲートウェイ装置が有するＤＭＳの機能を利用するユーザ毎に、そのユーザによって利用される検索端末、再生端末、情報検索装置、および、コンテンツ提供元装置を記憶しておくからである。これにより、検索語句抽出部は、そのユーザについて登録された検索端末によって、そのユーザについて登録された情報検索装置に対して送信される情報検索要求から、そのユーザによって入力された検索語句を抽出してユーザ毎に蓄積し、コンテンツ検索部が、ユーザ毎に蓄積された検索語句に関連するネットワークコンテンツを検索してそのメタ情報をユーザ毎に蓄積することになる。これにより、コンテンツリスト提示部は、再生端末を利用するユーザの検索語句から検索されたメタ情報に基づいて、コンテンツリストを生成して提示することになる。したがって、ゲートウェイ装置のＤＭＳ機能を利用する各ユーザは、それぞれが日常的に利用する情報検索装置において検索を行うだけで、作業負担なく、それぞれが利用する再生端末を用いて自身の嗜好にあったネットワークコンテンツを閲覧可能となる。
【０１５４】
また、本発明の第２の実施の形態としてのコンテンツ取得システムおよびゲートウェイ装置は、各ユーザに、その嗜好にあったネットワーク上のコンテンツを、ローカルに保持するコンテンツとの区別を意識させることなく提供することができる。
【０１５５】
その理由は、コンテンツリスト提示部が、ネットワーク上から収集したコンテンツのメタ情報を、ローカルに保持するコンテンツの一覧を表すコンテンツリストと同様の形式に変換して、コンテンツリストを生成するからである。そして、コンテンツ取得部は、再生端末から受信するコンテンツ選択情報がネットワークコンテンツを示す場合には、メタ情報に蓄積したメタ情報を参照することにより、ネットワーク上の格納場所を特定してその実体データを取得し、再生端末に送信するからである。
【０１５６】
また、本発明の第２の実施の形態としてのコンテンツ取得システムおよびゲートウェイ装置は、ゲートウェイ装置が設置されたＬＡＮ内において、各ユーザが利用する機器間で、そのユーザ向けに収集されたネットワークコンテンツを共有することができる。
【０１５７】
その理由は、ユーザ情報格納部が、各ユーザが情報検索のために利用する１つ以上の検索端末と、利用する１つ以上の検索サイト（情報検索装置）と、コンテンツの再生に利用する１つ以上の再生端末とを対応付けて保持し、ユーザ情報設定部が、これらの情報をユーザによって設定可能とするからである。
【０１５８】
なお、上述した本発明の各実施の形態において、再生端末は、第１のネットワークを介してゲートウェイ装置に接続されるものとして説明したが、第２のネットワークを介してゲートウェイ装置に接続されていてもよい。この場合、各実施の形態としてのゲートウェイ装置は、第２のネットワークを介して接続された再生端末からの通信に、ＨＴＴＰＳ（Hypertext Transfer Protocol over Secure Socket Layer）や、事前認証の技術を利用することにより、セキュリティを確保すればよい。また、この場合、ゲートウェイ装置が常時通電されているものであるとすれば、ユーザは、その居場所に関わらず、常時、自身の検索語句を用いて収集されたネットワーク上のコンテンツを自身の再生端末で視聴することができる。
【０１５９】
また、本発明の各実施の形態において、検索端末および再生端末は、同一の装置によって構成されていてもよい。あるいは、再生端末は、コンテンツリストを要求する装置と、再生する装置とによって構成されていてもよい。
【０１６０】
また、上述した本発明の各実施の形態において、各フローチャートを参照して説明したゲートウェイ装置の動作を、本発明のコンピュータ・プログラムとしてコンピュータ装置の記憶装置（記憶媒体）に格納しておき、係るコンピュータ・プログラムを当該ＣＰＵが読み出して実行するようにしてもよい。そして、このような場合において、本発明は、係るコンピュータ・プログラムのコード或いは記憶媒体によって構成される。
【０１６１】
また、上述した各実施の形態は、適宜組み合わせて実施されることが可能である。
【０１６２】
また、本発明は、上述した各実施の形態に限定されず、様々な態様で実施されることが可能である。
【符号の説明】
【０１６３】
１０、６０    コンテンツ取得システム
１、６    ゲートウェイ装置
２    検索端末
３    再生端末
４    情報検索装置
５    コンテンツ提供元装置
１１    中継部
１２、６２    検索語句抽出部
１３、６３    検索語句蓄積部
１４、６４    コンテンツ検索部
１５、６５    メタ情報蓄積部
１６、６６    コンテンツリスト提示部
１７、６７    コンテンツ取得部
６８  ユーザ情報格納部
６９  ユーザ情報設定部
７０  ローカルコンテンツ格納部
２１  検索語句送信部
２２  検索結果出力部
３１  コンテンツリスト要求部
３２  コンテンツ再生部
５１  コンテンツ検索機能提供部
５２  コンテンツサーバ部
【図１】
0005497807.tif 000002
【図２】
0005497807.tif 000003
【図３】
0005497807.tif 000004
【図４】
0005497807.tif 000005
【図５】
0005497807.tif 000006
【図６】
0005497807.tif 000007
【図７】
0005497807.tif 000008
【図８】
0005497807.tif 000009
【図９】
0005497807.tif 000010
【図１０】
0005497807.tif 000011
【図１１】
0005497807.tif 000012
【図１２】
0005497807.tif 000013
【図１３】
0005497807.tif 000014
【図１４】
0005497807.tif 000015
【図１５】
0005497807.tif 000016
【図１６】
0005497807.tif 000017
【図１７】
0005497807.tif 000018
【図１８】
0005497807.tif 000019
【図１９】
0005497807.tif 000020
【図２０】
0005497807.tif 000021